【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
オブジェクトを加熱することにより引き起こされる該オブジェクトの内部の温度分布を測定する温度分布測定装置であって、前記温度分布測定装置は、
前記オブジェクトが加熱されている間に、前記オブジェクトの内部の測定領域の中の温度分布を測定する温度分布測定ユニットであって、前記温度分布測定ユニットは、前記測定領域の超音波データを取得する超音波プローブと、前記取得した超音波データに基づき前記測定領域の内部の前記温度分布を決定する超音波温度測定ユニットと、を有する、温度分布測定ユニットと、
モデル提供ユニットであって、
（ａ）時間期間の間の、個々の測定領域の中で個々の温度分布が測定されている測定領域の中の、及び
（ｂ）時間期間の間の、個々の測定領域の中で個々の温度分布が測定されていない測定領域の中の、及び／又は温度分布が測定されていない前記オブジェクトの内部の非測定領域の中の、
モデル温度分布を示す前記オブジェクトのモデルを提供するモデル提供ユニットと、
前記提供されたモデルを用いることにより前記測定された温度分布に基づき、時間期間の間の個々の測定領域の中で個々の温度分布が測定されていない測定領域の中の及び／又は前記非測定領域の中の推定温度分布を決定する温度分布推定ユニットと、
を有し、
前記装置は、
前記測定領域の中の前記測定された温度分布が所定の温度範囲の外側の温度を有するか否かを決定し、前記測定領域の中の前記測定された温度分布が前記所定の温度範囲の外側にある場合、前記測定領域が変更されるように前記温度分布測定ユニットを制御するよう適応される温度測定制御ユニット、
を有する温度分布測定装置。
【請求項２】
前記温度測定制御ユニットは、前記測定領域の位置を変えることにより前記測定領域が変更されるように、前記温度分布測定ユニットを制御するよう適応される、請求項１に記載の温度分布測定装置。
【請求項３】
前記オブジェクトは熱源により加熱され、前記温度測定制御ユニットは、前記測定領域が異なる位置に連続的に配置されるように前記温度分布測定ユニットを制御するようにされ、前記測定領域の位置が変えられる場合、前記熱源に近い位置から前記熱源から遠い位置へ変えられる、請求項２に記載の温度分布測定装置。
【請求項４】
前記温度分布測定装置は、前記測定領域を変更するために、前記測定領域の位置を変えるよう前記超音波プローブを移動するようにされる、請求項１に記載の温度分布測定装置。
【請求項５】
前記超音波プローブは、前記測定領域を変更するために、前記超音波プローブを移動することなく、前記測定領域の位置が変えられるようにされる、請求項１に記載の温度分布測定装置。
【請求項６】
前記温度分布測定ユニット及び前記温度測定制御ユニットは、前記超音波プローブが、基準温度で異なる測定領域について基準超音波データを、及び異なる測定領域について実際の超音波データを取得するように、並びに、前記超音波温度測定ユニットが、個々の測定領域について取得された個々の前記実際の超音波データ、個々の測定領域について取得された前記基準超音波データ、及び個々の前記基準温度に従って個々の測定領域の中の温度分布を決定するようにされる、請求項１に記載の温度分布測定装置。
【請求項７】
前記温度分布測定ユニット及び前記温度測定制御ユニットは、基準データ取得段階で、前記超音波プローブが知られている基準温度において前記異なる測定領域について前記基準超音波データを取得するよう、並びに、温度分布測定段階で、前記超音波プローブが実際の超音波データを取得し、前記超音波温度測定ユニットが個々の測定領域について取得された個々の実際の超音波データ、個々の測定領域について取得された前記基準超音波データ、及び個々の前記基準温度に依存して前記異なる測定領域の中の温度分布を決定するようにされる、請求項６に記載の温度分布測定装置。
【請求項８】
モデル提供ユニットは、前記モデルが、可変モデルパラメータに依存して、個々の温度分布が既に測定されている測定領域の中の、及び個々の温度分布が未だ測定されていない測定領域の中のモデル温度分布を記述するように、前記モデルを提供するようにされ、
前記温度分布推定ユニットは、個々の温度分布が既に測定されている測定領域のモデル温度分布の、個々の温度分布が既に測定されている測定領域の前記測定した温度分布からの変位が最小化されるように前記モデルパラメータを変更することにより、及び前記変更されたモデルから基準温度を決定することにより、個々の温度分布が未だ測定されていない個々の測定領域の基準温度を決定するようにされる、
請求項６に記載の温度分布測定装置。
【請求項９】
前記モデル提供ユニットは、前記オブジェクトのモデルが、可変モデルパラメータに依存して、前記モデル温度分布を記述するように、前記オブジェクトのモデルを提供するようにされ、
前記温度分布推定ユニットは、時間期間の間に個々の温度分布が個々の測定領域で測定されている異なる測定領域のモデル温度分布の、前記異なる測定領域の前記測定した温度分布からの変位が最小化されるように前記モデルパラメータを変更することにより、及び前記変更されたモデルから前記推定温度分布を決定することにより、前記時間期間の間に個々の温度分布が個々の測定領域で測定されていない異なる測定領域の及び／又は前記非測定領域の前記推定温度分布を決定するようにされる、
請求項１に記載の温度分布測定装置。
【請求項１０】
オブジェクトを加熱するシステムであって、前記システムは、
前記オブジェクトを加熱する熱源と、
請求項１に記載の前記オブジェクトの内部の温度分布を決定する温度分布決定装置と、
を有するシステム。
【請求項１１】
前記システムは、前記決定した温度分布に依存して前記熱源を制御する熱源制御ユニットを更に有する、請求項１０に記載のシステム。
【請求項１２】
オブジェクトを加熱することにより引き起こされる該オブジェクトの内部の温度分布を測定する温度分布測定方法であって、前記温度分布測定方法は、
前記オブジェクトが加熱されている間に、温度分布測定ユニットにより、前記オブジェクトの内部の測定領域の中の温度分布を測定するステップであって、前記温度分布測定ユニットは、前記測定領域の超音波データを取得する超音波プローブと、前記取得した超音波データに基づき前記測定領域の内部の前記温度分布を決定する超音波温度測定ユニットと、を有する、ステップと、
前記オブジェクトのモデルを提供するステップであって、前記オブジェクトのモデルは、
（ａ）時間期間の間の、個々の測定領域の中で個々の温度分布が測定されている測定領域の中の、及び
（ｂ）時間期間の間の、個々の測定領域の中で個々の温度分布が測定されていない測定領域の中の、及び／又は温度分布が測定されない前記オブジェクトの内部の非測定領域の中の、
モデル温度分布を示す、ステップと、
温度分布推定ユニットにより、前記提供されたモデルを用いることにより前記測定された温度分布に基づき、時間期間の間の個々の測定領域の中で個々の温度分布が測定されていない異なる測定領域の中の及び／又は前記非測定領域の中の推定温度分布を決定するステップと、
を有し、
前記方法は、
前記測定領域の中の前記測定された温度分布が所定の温度範囲の外側の温度を有するか否かを決定し、前記測定領域の中の前記測定された温度分布が前記所定の温度範囲の外側にある場合、前記測定領域が変更されるように、前記温度分布測定ユニットを制御するステップ、
を更に有する温度分布測定方法。
【請求項１３】
オブジェクトを加熱することにより引き起こされる該オブジェクトの内部の温度分布を決定するコンピュータプログラムであって、前記コンピュータプログラムは、前記コンピュータプログラムが請求項１に記載の温度分布決定装置を制御するコンピュータで実行されると、前記温度分布決定装置に、請求項１２に記載の温度分布測定方法のステップを実行させる、コンピュータプログラム。